(57)【要約】【課題】本発明の実施形態は、配線しやすく安定して使用可能な調光器および照明システムを提供することである。【解決手段】本発明の実施形態である調光器は、筐体と、前記筐体内部に設けられる制御基板と、前記筐体内部に設けられ、前記制御基板からの制御信号を通信可能となるように接続される調光基板と、を備え、前記制御基板は、コンピュータネットワーク回線および照明用通信規格線を接続可能であるとともに、前記コンピュータネットワーク回線からの制御信号または前記照明用通信規格線からの制御信号いずれかを選択的に通信可能に設けられる。【選択図】図１
2019091614.tif 000002
【特許請求の範囲】
【請求項１】
筐体と；
前記筐体内部に設けられる制御基板と；
前記筐体内部に設けられる通信変換基板と；
前記筐体内部に設けられ、前記制御基板からの制御信号を通信可能となるように接続される調光基板と；
を備え、
前記筐体は、コンピュータネットワーク回線および照明用通信規格線を接続可能であるとともに、前記制御基板は前記コンピュータネットワーク回線からの制御信号または前記照明用通信規格線からの制御信号いずれかを選択的に通信可能に設けられる調光器。
【請求項２】
前記筐体外部から前記コンピュータネットワーク回線が接続された場合、前記コンピュータネットワーク回線からの制御信号を、通信変換基板を介して、前記制御基板へ通信可能となるよう前記筐体内部に設けられる内部ネットワーク回線と；
前記筐体外部の照明用通信規格線が接続された場合、前記照明用通信規格線からの制御信号を前記制御基板へ通信可能となるよう前記筐体内部に設けられる内部規格線と；
前記内部ネットワーク回線または前記内部規格線のいずれかと前記制御基板が通信可能となるよう設けられるスイッチ部と；
を有する請求項１に記載の調光器。
【請求項３】
前記内部ネットワーク回線および前記内部規格線と通信可能に接続される制御基板を備え、前記制御基板は、前記ネットワーク回線からの制御信号を検知する検知部と；
前記検知部が前記ネットワーク回線からの制御信号を一定時間検知しない場合、前記内部規格線からの制御信号を前記制御基板へ通信するよう制御する制御部と；
を有する請求項１または２に記載の調光器。
【請求項４】
請求項２または３に記載の調光器と；
前記筐体外部に設けられ、前記コンピュータネットワーク回線または前記照明用通信規格線を通じて制御信号を通信可能な外部端末と；
前記筐体外部に設けられ、前記調光基板を通じて制御信号を通信可能な照明器具と；
を有する照明システム。
【発明の詳細な説明】
【技術分野】
【０００１】
本発明の技術分野は、調光器に関する。
【背景技術】
【０００２】
舞台・テレビスタジオ向けの可搬型調光器は、従来は照明制御用の通信規格を用いて制御されることで照明器具の調光制御を行っていた。具体的にはDMX512信号を用いて調光を行い、RDM信号を用いて調光器の情報取得や設定変更を行っていた。これらの信号はDMXケーブルと呼ばれるRS485通信用のケーブルを使っていた。
【０００３】
近年では、DMXケーブル以外にLANケーブルから調光制御や情報取得が可能な可搬型調光器が知られている。
【０００４】
しかしLANケーブルから調光制御を行う場合、ArtNetと呼ばれる世界共通プロトコルの信号をDMX512やRDMといった信号に変換するため、ノードと呼ばれる通信変換機を仲介させて可搬型調光器に接続せねばならなかった。
【０００５】
また、舞台・テレビスタジオ向けの照明システムにおいては演目途中で照明制御が途切れないことが要求されるが、LANケーブルを用いて調光器に接続する場合、ハブを介して接続することが多いため直接調光器に接続されるDMXケーブルを用いるよりも配線に注意を払う必要があった。
【先行技術文献】
【特許文献】
【０００６】
【特許文献１】特開２０１４−６７５５２号公報
【発明の概要】
【発明が解決しようとする課題】
【０００７】
本発明の実施形態は、配線しやすく安定して使用可能な調光器および照明システムを提供することである。
【課題を解決するための手段】
【０００８】
本発明の実施形態である調光器は、筐体と、前記筐体内部に設けられる通信変換基板と、前期筐体内部に設けられる制御基板と、前記筐体内部に設けられ、前記制御基板からの制御信号を通信可能となるように接続される調光基板と、を備え、前記通信変換基板は、コンピュータネットワーク回線および照明用通信規格線を接続可能であるとともに、前記コンピュータネットワーク回線からの制御信号または前記照明用通信規格線からの制御信号の内いずれを使用するか選択可能なスイッチ部を設ける。
【発明の効果】
【０００９】
本発明の実施形態によれば、配線しやすく安定して使用可能な調光器および照明システムを提供できる。
【図面の簡単な説明】
【００１０】
【図１】本発明の第一の実施形態である調光器および照明システムを表す概略図である。
【発明を実施するための形態】
【００１１】
以下、図１および図２を参照して本発明の実施形態である調光器および照明システムについて説明する。
【００１２】
本発明の実施形態である調光器は、筐体1と、通信変換基板2と、制御基板3と、調光基板4と、内部ネットワーク回線62と、内部規格線72と、スイッチ部8を備える。
【００１３】
また、本発明の実施形態である照明システムは、本発明の実施形態である調光器と、照明器具5と、外部端末9と、コンピュータネットワーク回線61または照明用通信規格線71の少なくとも一方を備える。
【００１４】
筐体1は、例えば金属板で外形を形成された略直方体の箱体である。
【００１５】
筐体1の外側面には、接続することでイーサネット（登録商標）などのコンピュータネットワーク回線と接続するLANケーブルなどのコンピュータネットワーク回線61を通じて制御信号を通信可能となる回線端子接続部6を有する。なお、ここでいう制御信号とは、照明器具5に対して調光状態やアドレス管理、または姿勢制御等の制御設定が可能な信号をいう。また、通信可能とは、送信と受信のいずれかが可能であるか、送受信両方が可能であることをいう。
【００１６】
また、筐体1の外側面には、接続することでDMX信号などの照明用通信規格である制御信号をDMX線などの照明用通信規格線71を通じて通信可能となる規格線端子接続部7を有する。
【００１７】
筐体1の内部に設けられる通信変換基板2は、回線端子接続部6から、制御信号を通信可能な内部ネットワーク回線62を通じて、外部端末9から入力された制御信号を受信可能な回線接続部21を有する。  また、通信変換基板2は、外部からの制御信号入力または外部への制御信号出力が可能なポート23を複数有する。この複数のポート23の内の１口には、DMX線などの照明用通信規格線71から、規格線端子接続部7を通じて、外部端末9からの制御信号を入力可能なように、バックアップ用の内部規格線72bが接続される。
【００１８】
通信変換基板2は、回線接続部21から受信したコンピュータネットワーク回線61から送信された制御信号を、変換処理部24でDMXなどの照明用通信規格の信号に変換して出力ポート23（図１では左端のポート23）に送信する。入力ポート23（図１では右端のポート23）から照明用通信規格の制御信号を受信している場合は、受信した照明用通信規格の制御信号は、変換処理部24にスルーされ、変換処理部24は、バックアップ動作時のみ受信した照明用通信規格の制御信号を出力ポート23へ送信する。
【００１９】
通信変換基板2は、制御基板3と通信可能に設けられる制御線25を有する。通信変換基板2は、回線接続部21またはバックアップ用の内部規格線72bが接続されたポート23から受信した制御信号を、変換またはスルーして出力ポート23を通じ制御線25へ送信する。
【００２０】
通信変換基板2は、回線接続部21から制御信号の入力があるかを検知する検知部22を有する。また、通信変換基板2は、内部ネットワーク回線62から回線接続部21への制御信号を検知部22で検知した場合、回線接続部21から入力される制御信号を受信し、制御線25へ出力するような制御を行う制御部（不図示）を有する。
【００２１】
すなわち、内部ネットワーク回線62とバックアップ用の内部規格線72bが共に通信変換基板2に接続されて、共に制御信号を送信している場合は、変換処理部24は内部ネットワーク回線62から送信された制御信号を採用し、出力ポート23に出力する。
【００２２】
検知部22が回線接続部21から入力される制御信号を一定時間検知しなかった場合は、変換処理部24はバックアップ用の内部規格線72bからの制御信号を出力ポート23に出力する。
【００２３】
つまり、照明用通信規格線71で送られてくる制御信号を、コンピュータネットワーク回線61から送られる制御信号に問題が起きた時の、バックアップとして使用する事が出来る。
【００２４】
制御基板3は、通信変換基板2や内部規格線72と双方向通信可能に接続される基板である。
【００２５】
制御基板3は、スイッチ部8を通じて受信した制御信号を、シリアル信号や、PWM信号などに変換して調光基板4に送信可能に設けられる。また、制御基板3は、照明器具5の点灯時間や調光状態、器具アドレスといった器具情報を、通信変換基板2または内部規格線72に送信することも可能なように設けられる。
【００２６】
スイッチ部8は、図１に示すように、制御線25または内部規格線72のいずれかに接続してコンピュータネットワーク回線61または照明用通信規格線71と制御基板3とを通信可能とするよう設けられる部材である。スイッチ部8は、例えば筐体1の外部に備えられたスライド式スイッチが操作されることにより、手動で切り替えることができる。
【００２７】
スイッチ部8が制御線25と接続するときは、コンピュータネットワーク回線61からの制御信号を用いて照明器具5の制御を行う。また、スイッチ部8が内部規格線72と接続するときは、照明用通信規格線71からの制御信号を用いて照明器具5の制御を行う。
【００２８】
ただし、スイッチ部8が制御線25と接続する場合であっても、コンピュータネットワーク回線61が回線端子接続部6に接続されていないなど制御信号が受信されない場合は、バックアップ用の内部規格線72bを通じて照明用通信規格線71からの制御信号を用いて照明器具5の制御を行う。
【００２９】
調光基板4は、制御基板3および照明器具5と接続される基板である。調光基板4は、制御基板3と双方向通信が可能であり、漏電や過電流を検出することができる。また、例えば調光基板4は、過電流を検出した場合に、接続された照明器具5が容量オーバーであることを知らせるアラームや発光ダイオードと接続されて設けられてもよい。
【００３０】
照明器具5は、ハロゲン電球を光源とする照明器具である。照明器具5は、外部端末9から入力された制御信号で制御される。実際には、入力された調光信号のレベルに応じて、調光基板4が照明器具5に出力する電圧値を変動させることで調光制御を行っている。
【００３１】
次に、本発明の実施形態である調光器および照明システムの効果について説明する。
【００３２】
従来の調光器は、コンピュータネットワーク回線61を用いて照明器具5を制御しようとする場合、一旦コンピュータネットワーク回線61をノードなどの通信変換機に接続し、さらにその通信変換機から、通信変換機で変換された制御信号を通信可能な通信線を通じて調光器に接続する必要があった。
【００３３】
また、主に調光器が使用されるような舞台・テレビスタジオにおける照明システムは、演目中に照明制御が途切れることがないように求められる。しかしながら、従来の調光器ではコンピュータネットワーク回線61または照明用通信規格線71のいずれかのみを用いて照明器具5の制御を行っていた。そのため、物が引っかかるなどして回線端子接続部6などから接続が外れると照明制御が演目中に途切れてしまう可能性を孕んでいた。このとき特に、通信変換機やハブなどの中継器を介する点や、ノイズなどの電気的な外部要因に比較的に貧弱な点等で、コンピュータネットワーク回線61からの制御信号の方がより途切れるリスクがあった。
【００３４】
本発明の実施形態である調光器および照明システムは、コンピュータネットワーク回線61および照明用通信規格線71を共に接続して使用する場合、コンピュータネットワーク回線61からの制御信号が途絶えたとしても、バックアップ用の内部規格線72bを通じて照明用通信規格線71からの制御信号を制御に用いることができる。このため、照明制御が意図せず途切れることを防止し、安定して調光器および照明システムを使用することができる。
【００３５】
また、本発明の第一の実施形態である調光器および照明システムを用いれば、コンピュータネットワーク回線61と調光器の筐体1を余分な機器を介することなく接続可能となる。そのため配線作業が簡便になる。
【００３６】
さらに、従来DMX線などの照明用通信規格線71のみを用いて照明器具5の照明制御を行っているユーザが、本発明の実施形態である調光器および照明システムを導入した場合、そのまま照明用通信規格線71を用いて照明制御を行うことができることに加え、新たにコンピュータネットワーク回線61を用いた照明制御システムを導入しようとしたとき、ノードなどの通信変換機を必要としないため導入費用が抑えられるという利点を有する。
【００３７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等に含まれる。
【符号の説明】
【００３８】
1…筐体
2…通信変換基板
21…回線接続部
22…検知部
23…ポート
24…変換処理部
25…制御線
3…制御基板
4…調光基板
5…照明器具
6…回線端子接続部
61…コンピュータネットワーク回線
62…内部ネットワーク回線
7…規格線端子接続部
71…照明用通信規格線
72…内部規格線
8…スイッチ部
9…外部端末
【図１】
2019091614.tif 000003